(57)【要約】【課題】基礎断熱構造において、隙間や目地部から侵入する白蟻を完全に遮断する防蟻構造を提供する。【解決手段】布基礎１の立ち上がり部２の外側に付設される断熱材８、及び、該立ち上がり部２の上に構築される建物の外側に付設される外張り断熱材８，９として、防蟻剤を含有する防蟻断熱材を用い、水平方向に隣接する防蟻断熱材間の縦目地部に防蟻剤を含有するシーリング材や接着剤からなる防蟻充填材を充填し、さらに、断熱材８と９とを接着する接着剤として防蟻剤を含有する防蟻接着剤を用いる。【選択図】図１
2007247313.tif 000002
【特許請求の範囲】
【請求項１】
基礎の立ち上がり部の外側及び内側の少なくとも一方に断熱材を付設した基礎断熱構造を有する建築物の防蟻構造であって、
上記断熱材が防蟻剤を含有する防蟻断熱材であり、
水平方向に隣接する防蟻断熱材間の縦目地部の少なくとも最上部に、該断熱材の厚さ方向に亘って防蟻充填材が充填されていることを特徴とする建築物の防蟻構造。
【請求項２】
基礎の立ち上がり部の外側及び内側の少なくとも一方に断熱材を付設した基礎断熱構造を有する建築物の防蟻構造であって、
上記断熱材が防蟻剤を含有する防蟻断熱材であり、
さらに、上記基礎の立ち上がり部上に付設された建物の少なくとも土台下部の外周に、防蟻断熱材または防蟻処理木材が付設され、該防蟻断熱材または該防蟻処理木材に水切り板が固定されていることを特徴とする建築物の防蟻構造。
【請求項３】
基礎断熱構造の防蟻断熱材が基礎の立ち上がり部の少なくとも外側に付設されており、該防蟻断熱材と少なくとも土台下部の外周に付設された防蟻断熱材または防蟻処理木材とが防蟻剤を含有する防蟻接着剤により互いに接着されている請求項２に記載の建築物の防蟻構造。
【請求項４】
基礎断熱構造の防蟻断熱材が基礎の立ち上がり部の少なくとも外側に付設されており、基礎立ち上がり部の外側に付設された防蟻断熱材の縦目地部と、土台下部の外周に付設された防蟻断熱材または防蟻処理木材の縦目地部とが互いに水平方向にずれている請求項２または３に記載の建築物の防蟻構造。
【請求項５】
少なくとも基礎断熱構造において、水平方向に隣接する防蟻断熱材間の縦目地部の少なくとも最上部に、該断熱材の厚さ方向に亘って防蟻充填材が充填されている請求項２〜４のいずれかに記載の建築物の防蟻構造。
【請求項６】
基礎の立ち上がり部の外側及び内側の少なくとも一方に断熱材を付設した基礎断熱構造を有する建築物の防蟻構造であって、
上記断熱材が、基礎の構築後に基礎の立ち上がり部の全周に亘って切れ目なく接着剤を塗布して該立ち上がり部に接着されていることを特徴とする建築物の防蟻構造。
【請求項７】
上記断熱材が防蟻剤を含有する防蟻断熱材であり、上記接着剤が防蟻剤を含有する防蟻接着剤である請求項６に記載の建築物の防蟻構造。
【請求項８】
水平方向に隣接する防蟻断熱材間で合じゃくりを構成している請求項１〜５及び７のいずれかに記載の建築物の防蟻構造。
【請求項９】
上記基礎が布基礎であって、該布基礎で囲まれた領域内全面に土間コンクリートが打設されている請求項１〜８のいずれかに記載の建築物の防蟻構造。
【請求項１０】
上記布基礎の立ち上がり部と土間コンクリート端部との打継部、及び／または、立ち上がり部もしくは土間コンクリートを貫通する貫通配管の周囲に防蟻充填材が塗布或いは充填されている請求項９に記載の建築物の防蟻構造。
【請求項１１】
上記土間コンクリートの下面外周部及び土間コンクリートを貫通する貫通配管の土間コンクリート下面側周囲に防蟻断熱材を付設した請求項９に記載の建築物の防蟻構造。
【請求項１２】
上記土間コンクリート下面外周に付設した、水平方向に隣接する防蟻断熱材間で合じゃくりを構成している請求項１１に記載の建築物の防蟻構造。
【請求項１３】
既存の建築物の防蟻施工方法であって、
基礎を貫通する貫通口を防蟻剤を含有する防蟻断熱材で閉塞した後、少なくとも基礎の立ち上がり部の外側及び内側の少なくとも一方に防蟻断熱材を付設することを特徴とする建築物の防蟻施工方法。
【発明の詳細な説明】
【技術分野】
【０００１】
本発明は、基礎に断熱材を付設してなる基礎断熱構造を有する建築物において、該基礎断熱構造に防蟻手段を講じた防蟻構造と、該防蟻構造を既存の建築物に適用した防蟻施工方法に関する。
【背景技術】
【０００２】
住宅の基礎構造の断熱施工方法として、発泡ポリスチレンなどの断熱材を基礎の立ち上がり部の内壁面或いは外壁面に貼り付ける基礎断熱構造が知られている。このような基礎断熱構造における白蟻対策としては、基礎に貼り付けた断熱材の外側を白蟻防止性能を有する部材で覆う方法（特許文献１参照）や、防蟻剤入りの断熱材と防蟻剤入りの低発泡防蟻枠材とを組み合わせた断熱材を基礎に取り付ける方法（特許文献２参照）が知られている。
【０００３】
【特許文献１】特開２０００−１７７４７号公報
【特許文献２】特開２００４−３１６１７３号公報
【発明の開示】
【発明が解決しようとする課題】
【０００４】
しかしながら、従来の基礎断熱構造に防蟻手段を講じた防蟻構造では、基礎の表面の不陸による断熱材表面との隙間や、隣接する断熱材同士の目地部などから侵入する白蟻を完全に遮断することができなかった。
【０００５】
本発明の課題は、基礎断熱構造において、隙間や目地部から侵入する白蟻を完全に遮断する防蟻構造を提供することにあり、さらに、既存の建築物の基礎に該防蟻構造を適用した防蟻施工方法を提供することにある。
【課題を解決するための手段】
【０００６】
本発明の第１は、基礎の立ち上がり部の外側及び内側の少なくとも一方に断熱材を付設した基礎断熱構造を有する建築物の防蟻構造であって、
上記断熱材が防蟻剤を含有する防蟻断熱材であり、
水平方向に隣接する防蟻断熱材間の縦目地部の少なくとも最上部に、該断熱材の厚さ方向に亘って防蟻充填材が充填されていることを特徴とする。
【０００７】
本発明の第２は、基礎の立ち上がり部の外側及び内側の少なくとも一方に断熱材を付設した基礎断熱構造を有する建築物の防蟻構造であって、
上記断熱材が防蟻剤を含有する防蟻断熱材であり、
さらに、上記基礎の立ち上がり部上に付設された建物の少なくとも土台下部の外周に、防蟻断熱材または防蟻処理木材が付設され、該防蟻断熱材または該防蟻処理木材に水切り板が固定されていることを特徴とする。
【０００８】
本発明の第２の防蟻構造においては、
基礎断熱構造の防蟻断熱材が基礎の立ち上がり部の少なくとも外側に付設されており、該防蟻断熱材と少なくとも土台下部の外周に付設された防蟻断熱材または防蟻処理木材とが防蟻剤を含有する防蟻接着剤により互いに接着されていること、
基礎断熱構造の防蟻断熱材が基礎の立ち上がり部の少なくとも外側に付設されており、基礎立ち上がり部の外側に付設された防蟻断熱材の縦目地部と、土台下部の外周に付設された防蟻断熱材または防蟻処理木材の縦目地部とが互いに水平方向にずれていること、
少なくとも基礎断熱構造において、水平方向に隣接する防蟻断熱材間の縦目地部の少なくとも最上部に、該断熱材の厚さ方向に亘って防蟻充填材が充填されていること、
が好ましい。
【０００９】
本発明の第３は、基礎の立ち上がり部の外側及び内側の少なくとも一方に断熱材を付設した基礎断熱構造を有する建築物の防蟻構造であって、
上記断熱材が、基礎の構築後に基礎の立ち上がり部の全周に亘って切れ目なく接着剤を塗布して該立ち上がり部に接着されていることを特徴とする。
【００１０】
本発明の第３の防蟻構造においては、
上記断熱材が防蟻剤を含有する防蟻断熱材であり、上記接着剤が防蟻剤を含有する防蟻接着剤であることが好ましい。
【００１１】
上記本発明の第１〜第３の防蟻構造においては、
水平方向に隣接する防蟻断熱材間で合じゃくりを構成していること、
上記基礎が布基礎であって、該布基礎で囲まれた領域内全面に土間コンクリートが打設されていること、
上記布基礎の立ち上がり部と土間コンクリート端部との打継部、及び／または、立ち上がり部もしくは土間コンクリートを貫通する貫通配管の周囲に防蟻充填材が塗布或いは充填されていること、
上記土間コンクリートの下面外周部及び土間コンクリートを貫通する貫通配管の土間コンクリート下面側周囲に防蟻断熱材を付設したこと、特に、
土間コンクリート下面外周に付設した、水平方向に隣接する防蟻断熱材間で合じゃくりを構成していること、
が好ましい。
【００１２】
本発明の第４は、既存の建築物の防蟻施工方法であって、
基礎を貫通する貫通口を防蟻剤を含有する防蟻断熱材で閉塞した後、少なくとも基礎の立ち上がり部の外側及び内側の少なくとも一方に防蟻断熱材を付設することを特徴とする。
【発明の効果】
【００１３】
本発明の第１の防蟻構造によれば、隣接する防蟻断熱材間の縦目地部の隙間を登って建物内に侵入する白蟻を、該縦目地部に充填された防蟻充填材によって遮断することができる。
【００１４】
本発明の第２の防蟻構造によれば、土台の外側から侵入する白蟻を、建物の土台の外周に付設された防蟻断熱材または防蟻処理木材によって遮断することができる。特に、基礎の立ち上がり部の外側に防蟻断熱材が付設され、上下の防蟻断熱材間を防蟻接着剤で接着したり、基礎の立ち上がり部に付設した防蟻断熱材の縦目地部と、土台の外周に付設した防蟻断熱材または防蟻処理木材の縦目地部をずらすことで、該縦目地部を登ってくる白蟻の侵入を防止することができる。
【００１５】
本発明の第３の防蟻構造によれば、基礎の立ち上がり部と断熱材との隙間より侵入する白蟻を、該立ち上がり部全周に塗布した接着剤によって遮断することができ、特に、該接着剤が防蟻接着剤である場合にその効果が高く、また、断熱材として防蟻断熱材を用いておくことにより、断熱材内に侵入して来る白蟻を防止することができる。
【００１６】
さらに、本発明の防蟻構造によれば、隣接する防蟻断熱材間で合じゃくりを構成することにより、縦目地部を登ってくる白蟻を遮断することができる。また、基礎が布基礎である場合に、該布基礎で囲まれた領域内に土間コンクリートを打設することによって、床下の土壌から侵入する白蟻を防止することができ、特に、該土間コンクリートと基礎の立ち上がり部との打継部や、立ち上がり部や土間コンクリートを貫通する貫通配管の周囲に防蟻充填材を塗布或いは充填することにより、或いは、土間コンクリートの打設前に上記打継部や貫通配管周囲に相当する部位に防蟻断熱材を付設しておくことにより、土間コンクリートの下部の土壌から上記打継部や貫通配管周囲の隙間より床下に侵入する白蟻を遮断することができる。
【００１７】
本発明の第４の防蟻施工方法によれば、既存の建物の基礎の立ち上がり部の内壁面或いは外壁面に、防蟻断熱材を付設することによって、防蟻対策を施すことができ、特に、本発明の第１乃至第３の発明の基礎断熱構造を適用することにより、より高いレベルで防蟻構造を付与することができる。
【発明を実施するための最良の形態】
【００１８】
以下に図面を参照して本発明を詳細に説明する。
【００１９】
本発明の防蟻構造は、基礎断熱構造に組み合わせて実施される。基礎断熱構造には、建物の土台の下に格子状に構築される布基礎と、建物の下に全面にわたって構築されるべた基礎とに分けられ、それぞれについて断熱材を基礎の立ち上がり部の外側（屋外）に付設した場合と、内側（床下）に付設した場合とに分けられる。図１に布基礎の断熱構造の断面概略図を、図２にべた基礎の断熱構造の断面概略図をそれぞれ示す。図１，図２において、１は布基礎、２は立ち上がり部、３はベース部、４は土間コンクリート、５は建物の土台、６は壁、７は床組である。また、８，９は断熱材、１０は断熱材８と９とを接着する接着剤、１１，１２は外装材、１３は水切り金物、２１はべた基礎、２３は基礎スラブである。
【００２０】
図１に示すように、布基礎１は建物の土台５を支える立ち上がり部２と土壌内に埋め込まれるベース部３とを有し、断面が逆Ｔ字形を呈している。布基礎１を用いた場合、図１に示すように、防湿対策として布基礎１で囲まれる領域内全面に土間コンクリート４が打設される場合も有る。
【００２１】
一方、図２に示すように、べた基礎２１は建物の土台５を支える立ち上がり部２と建物の下に全面に形成される基礎スラブ２３とからなり、基礎スラブ２３は図１における土間コンクリート４と同様に床下の防湿作用も有する。
【００２２】
図１，図２に示した基礎断熱構造は、いずれも基礎１，２１の立ち上がり部２の外側に断熱材８を付設した外張り断熱構造である。同じ基礎１，２１に内張り断熱を施した断熱構造を図３，図４に示す。図３，図４中、３１，３２は断熱材であり、図３の布基礎の断熱構造においては、土間コンクリート４上に付設された断熱材３１は、土間コンクリート４を打設する前の土壌上に付設する場合もある。さらに、基礎１，２１の立ち上がり部２を挟んで両側に断熱材８，３２を付設する場合もある。
【００２３】
〔防蟻剤〕
本発明においては、一部の断熱材やシーリング材、接着剤などに防蟻剤を含有させて防蟻性を持たせた部材として用いる。
【００２４】
本発明において用いられる防蟻剤としては、通常の住宅などの白蟻対策に利用されている防蟻剤の中から、合成樹脂への配合に適した防蟻剤が使用できる。例えば、以下の防蟻剤が挙げられる。
【００２５】
カーバメート系：カルバリル、フェノルカルブ、プロポクスル
ピレスロイド系：アレスリン、ペルメトリン、トラロメトリン、ビフェントリン、アクリナトリン、アルファシペルメトリン、シフルトリン、シフェノトリン、プラレトリン
ピレスロイド様化合物：エトフェンプロックス、シラフルオフェン
トリアジン系：トリプロピルイソシアネート（ＴＰＩＣ）
クロルフェノール系：４−ブロモ−２，５−ジクロルフェノール（ＢＤＣＰ）
クロルニコチル系：イミダクロプリド、アセタミプリド、クロチアニジン
天然物系：カプリン酸、ヒバ中性油、ウコン
無機化合物系：ホウ素、ホウ酸、ホウ酸亜鉛
その他の化合物：ピレトリン、オクタクロロジプロピルエーテル、フィプロニル
【００２６】
上記防蟻剤は、単独或いは複数を併用して使用することができる。
【００２７】
特に好ましい防蟻剤として、ビフェントリン、シフェノトリン、イミダクロプリド、シラフルオフェンが挙げられる。
【００２８】
〔断熱材〕
本発明に用いられる断熱材としては、通常の建築物における断熱施工に利用されている断熱材と同様の断熱材を使用することができる。なかでも、軽量で耐水性・断熱性・耐圧性に優れたものが好ましく、独立気泡を有する合成樹脂発泡体が好適である。例えば、ポリスチレン系発泡体、ポリエチレン系発泡体、ポリプロピレン系発泡体、ポリウレタン系発泡体、フェノール系発泡体等の合成樹脂発泡体が好適である。特に押出発泡ポリスチレン（商品名「スタイロフォーム」：ダウ化工（株）製）は、高い断熱性及び低い吸水性を有するので最適である。
【００２９】
また、本発明において用いられる防蟻断熱材としては、前記した防蟻剤を上記断熱材に０．０５〜１０．０重量％の範囲で配合して用いる。具体的には、防蟻剤（ケミホルツ社製「ケミホルツターマイトＩＭパウダー」）０．１重量％をポリスチレン樹脂及び物理発泡剤に添加し、溶融混合後、押出発泡成形して得られた断熱材が好ましく用いられる。
【００３０】
尚、図１〜図４に示した断熱材８，９，３１，３２の形状は、施工する基礎構造の表面形状によっても異なるが、一般的には矩形板状をなす。矩形以外の多角形板状のものや、外形に円弧などの曲線形状、凹凸形状などを有する場合もある。平坦な板状のほか、屈曲板状や湾曲板状のものもある。表面に溝や突条その他の凹凸を有するものもある。
【００３１】
断熱材８，９，３１，３２の寸法として、例えば、矩形板状のものの場合、長辺４５〜３００ｃｍ、短辺１５〜９０ｃｍ、厚み２〜１０ｃｍに設定できる。矩形以外の形状の場合も、これに準じて外形寸法範囲が設定できる。
【００３２】
〔防蟻処理木材〕
本発明において用いられる防蟻処理木材としては、木材に防蟻剤を塗布、吹き付け、浸漬、拡散、加圧注入するなどの方法により得られた、通常の住宅などに使用されている防蟻処理を施した木材を用いることができる。中でも、工場において注薬罐中に置かれた木材に防蟻剤の薬液を加圧して注入した防蟻処理木材が好ましく、ＪＡＳの保存処理規格、ＪＩＳ  Ａ  ９１０８の規格に適合する防蟻処理木材が好ましい。
【００３３】
〔防蟻充填材・防蟻接着剤〕
本発明において用いられる、目地部や部材間の隙間に塗布或いは充填する防蟻充填材は、ウレタン樹脂、シリコーン樹脂、アクリル系樹脂に前記防蟻剤を０．０１〜５．０重量％含有させたものが好ましく用いられる。また、防蟻接着剤としてはアクリル系、レゾール系、水高分子イソシアネート系、エポキシ系、ウレタン系、シリコーン系、酢酸ビニル系、ホットメルト系接着剤に上記防蟻剤を０．０１〜５．０重量％含有させたものが好ましく用いられ、これら防蟻接着剤は上記防蟻充填材としても用いられる。また、防蟻充填材としては、前記防蟻断熱材を適当な大きさに切断して上記防蟻接着剤により接着する形態も好ましく用いられる。具体的には、アクリル系接着剤（アクリル酸エステル共重合樹脂、無機充填材、水）に、防蟻剤としてイミダクロプリドを０．０５重量％配合した接着剤（オーシカ社製「セレクティＶＥ−３００」）が好ましく用いられる。
【００３４】
〔第１の実施形態〕
本発明の第１の防蟻構造は、図１〜図４における断熱材８，３２として、前記防蟻断熱材を用い、さらに、水平方向に隣接する防蟻断熱材間の縦目地部の少なくとも最上部に前記防蟻充填材を充填したことに特徴を有する。図５に、図１の基礎断熱構造に本発明の防蟻構造を用いた一例の斜視図を示す。図中、５１は縦目地部であり、その最上部に防蟻充填材５２が充填されている。
【００３５】
本発明において、防蟻充填材５２は、断熱材８の厚さ方向に亘って充填されていることが必要であり、かかる防蟻充填材５２の存在によって、該縦目地部５１を登って侵入してくる白蟻を遮断することができる。また、防蟻充填材５２は縦目地部５１の最上部に充填されていればその効果が得られるが、好ましくは縦目地部５１全体に充填する。
【００３６】
また、本発明においては、水平方向に隣接する断熱材８間において、図６に示すように合じゃくりを構成していることが好ましい。かかる合じゃくりの切り欠きの長さＬは断熱材８の厚さｔとしておくことにより、図６に示すように、基礎の角部において隙間なく角部を構成することができる。このように、合じゃくりを構成して断熱材８同士を隣接させることにより、縦目地部５１が一直線にならないため、該縦目地部５１を白蟻が侵入しにくくなる。
【００３７】
〔第２の実施形態〕
本発明の第２の防蟻構造は、建物の土台下部の外周に少なくとも防蟻断熱材または防蟻処理木材が付設されていることを特徴とする。
【００３８】
建物の外側、即ち外装材１２の外側を伝って落ちる雨水などが屋内或いは床下に侵入するのを防止するため、通常、水切り金物（水切り板）１３が建物の外側に取り付けられている。一般に、該水切り金物１３は土台５或いは該土台５よりも上方に取り付けられているため、本発明の如く、土台５の下部の外周に防蟻断熱材または防蟻処理木材を付設しておくことにより、基礎の外装材１１表面を登って来る白蟻を該防蟻断熱材または防蟻処理木材で遮断することができる。
【００３９】
本発明においては、少なくとも土台５の下部の外周にかかる防蟻断熱材または防蟻処理木材を付設しておけば、上記効果を得ることができるが、図１，２に示す外張り断熱構造において、建物の外側に付設した断熱材９を防蟻断熱材とすることにより、断熱構造と同時に防蟻構造を容易に実施することができる。また、この場合、立ち上がり部２の外側に付設した防蟻断熱材１１の縦目地部と、土台５の外周に付設した防蟻断熱材または防蟻処理断熱材の縦目地部を互いに水平方向にずらして、一直線にならないようにしておくことにより、該縦目地部を登って来る白蟻の侵入を防止することができる。さらに、先に説明した第１の実施形態と組み合わせて、基礎の断熱材８も防蟻断熱材とし、縦目地部に防蟻材を充填して、さらに、上下の断熱材８，９とを接着する接着剤１０として前記防蟻接着剤を用いることにより、より高い防蟻効果が得られる。
【００４０】
また、第１の実施形態において説明したように、水平方向に隣接する防蟻断熱材間では合じゃくりを構成して、縦目地部を介して侵入する白蟻を遮断することが好ましい。
【００４１】
〔第３の実施形態〕
本発明の第３の防蟻構造は、図１〜図４に示した基礎１，２１の立ち上がり部２に付設された断熱材８，３２を、該立ち上がり部２の構築後に接着剤によって接着する際に、該立ち上がり部２の全周に亘って切れ目なく接着剤を塗布することに特徴を有する。これにより、基礎の立ち上がり部２の表面の不陸により生じる、該立ち上がり部２と断熱材８，３２との隙間を登って来る白蟻の侵入を該接着剤により遮断することができる。図７に図１の基礎断熱構造に本発明を適用した場合の断面概略図を示す。図中、７１が接着剤であり、図７に示すように、複数本、接着剤を塗布することにより、より高い防蟻効果が得られる。特に、該接着剤７１としては前記した防蟻接着剤が好ましく、さらには本発明を先に説明した第１及び第２の実施形態と組み合わせ、基礎１，２１の立ち上がり部２及び建物の外側に防蟻断熱材を付設する際に、防蟻接着剤を付設箇所の外周に切れ目なく塗布して接着することが好ましい。
【００４２】
〔第４の実施形態〕
図２，図３に示したべた基礎は基礎スラブ２３によって建物の下の土壌全面を覆っているため、該土壌より床下に侵入する白蟻を該基礎スラブ２３によって遮断することができるため、好ましい。図１，図３に示した布基礎１の場合も、図１，図３に示すように布基礎１で囲まれた領域内全面に土間コンクリート４を打設することにより、床下の土壌から侵入する白蟻を該土間コンクリート４で遮断することができる。しかしながら、土間コンクリート４の乾燥収縮により土間コンクリート４の端部が立ち上がり部２に接する打継部（図１の１４）に隙間が生じる場合がある。また、屋外より屋内に引き込まれる配管は土間コンクリート４或いは立ち上がり部２を貫通して配設されるが、これら配管は予め所定の位置に配設された後に立ち上がり部２や土間コンクリート４が構築されるため、やはり乾燥収縮により配管の周囲に隙間が生じる場合がある。このような隙間は当然、白蟻の侵入経路となりうるため、本発明においては、このような隙間に前記した防蟻充填材を塗布或いは充填して白蟻の侵入を防止することが好ましい。図８に、一例の断面概略図を示す。図中、８１は貫通配管、８２は防蟻充填材である。
【００４３】
また、上記隙間に防蟻対策を施す手段としては、土間コンクリート４を打設する前に打継部や貫通配管８１の周囲に相当する箇所に適当な大きさに切断した防蟻断熱材を付設しておくことが好ましい。図９に土間コンクリート４打設後の当該形態の断面概略図を示す。図９中、９１は防蟻断熱材であり、好ましくは立ち上がり部２の側面及び貫通配管８１に防蟻接着剤により接着固定しておく。土間コンクリート４打設後は該土間コンクリート４の自重によって、土間コンクリート４下面の外周部及び貫通配管８１の土間コンクリート下面側周囲に付設された防蟻断熱材９１は土間コンクリート４の下面に良好に密着する。
【００４４】
〔第５の実施形態〕
前記した本発明の第１〜第４の実施形態は、既存の建築物に適用して防蟻施工を施すことが可能である。特に、リフォームなどにより床下の基礎が露出する場合などは床下の基礎に防蟻断熱構造を施工することができる。また、土間コンクリートが打設されていない場合には、図９に示した構成も施工することが可能である。基本的には、基礎の立ち上がり部２などに形成されている換気口などの貫通口を防蟻断熱材で閉塞し、該立ち上がり部２の外側及び内側の少なくとも一方に防蟻断熱材を付設すればよい。また、基礎断熱構造を既に施工している場合でも、一般的には内張り、外張りのいずれか一方のみを用いているため、他方に防蟻断熱材を付設することによって、防蟻対策を図ることが可能である。
【図面の簡単な説明】
【００４５】
【図１】布基礎を用いた外張り基礎断熱構造の断面概略図である。
【図２】べた基礎を用いた外張り基礎断熱構造の断面概略図である。
【図３】布基礎を用いた内張り基礎断熱構造の断面概略図である。
【図４】べた基礎を用いた内張り基礎断熱構造の断面概略図である。
【図５】図１の基礎断熱構造に本発明の防蟻構造を適用した形態を示す斜視図である。
【図６】本発明に好ましく用いられる防蟻断熱材の合じゃくり構成を示す斜視図である。
【図７】本発明において、防蟻断熱材を基礎の立ち上がり部に接着した状態の断面概略図である。
【図８】土間コンクリート端部と基礎立ち上がり部との打継部及び貫通配管周囲に防蟻対策を施した例の断面概略図である。
【図９】土間コンクリート打設前に土間コンクリート端部と基礎立ち上がり部との打継部及び貫通配管周囲に防蟻対策を施した例の断面概略図である。
【符号の説明】
【００４６】
１  布基礎
２  立ち上がり部
３  ベース部
４  土間コンクリート
５  土台
６  壁
７  床組
８，９  断熱材
１０  接着剤
１１，１２  外装材
１３  水切り金物
１４  打ち継ぎ部
２１  べた基礎
２３  基礎スラブ
３１，３２  断熱材
５１  縦目地部
５２  防蟻充填材
７１  防蟻接着剤
８１  貫通配管
８２  防蟻充填材
９１  防蟻断熱材
【図１】
2007247313.tif 000003
【図２】
2007247313.tif 000004
【図３】
2007247313.tif 000005
【図４】
2007247313.tif 000006
【図５】
2007247313.tif 000007
【図６】
2007247313.tif 000008
【図７】
2007247313.tif 000009
【図８】
2007247313.tif 000010
【図９】
2007247313.tif 000011